(57)【特許請求の範囲】
【請求項１】
不燃性のシートに光ファイバーを蛇行状に折曲した状態に固定して検知センサとし、該検知センサを測定部に接続してなる火災検知装置。
【請求項２】
光ファイバーをステンレスチューブ内に挿通してなる請求項１記載の火災検知装置。
【請求項３】
請求項１又は２記載の火災検知装置における検知センサを複数連結し、各検知センサの光ファイバー同士を接続して用いるようになした火災検知装置の使用方法。
【請求項４】
請求項１又は２記載の火災検知装置における検知センサを、火災監視の対象である物品に被せて用いるようになした火災検知装置の使用方法。
【請求項５】
請求項１又は２記載の火災検知装置における検知センサを、火災監視の対象である物品の間に挿入して用いるようになした火災検知装置の使用方法。
【発明の詳細な説明】
【０００１】
【発明の属する技術分野】
本発明は火災検知装置及びその使用方法に関し、更に詳細には検知センサとして不燃性のシートに光ファイバーを固定したフレキシブルな検知センサとなし、そしてこれを被せる等して用いるようになし、もって特に倉庫等の如き保管する物品の数量が変化する場所において実施するに好適となした火災検知装置及びその使用方法に係わる。
【０００２】
【従来の技術】
従来から倉庫等にも火災検知装置は設置されているが、このような場所では保管する物品の数量が随時変化するため、物品に近接して検知センサを設置することができず、どうしても最大保管量のときでも邪魔にならないような位置に設置せざるを得なかった。
【０００３】
このため、少量保管時には物品と検知センサの距離が大きく離れてしまい、火災発生を早期に検知することが困難であった。
【０００４】
また、倉庫等においては物品を大量に積み重ねて保管することが多く、このような場合に積み重ねた物品の奥深くで発生する火災を検知することはより一層困難である。
【０００５】
また、燻蒸倉庫の如き内部で火災に類似した状況が発生する場所や、而も使用する燻蒸剤によっては検知センサの機能が阻害されるような場合には、火災検知装置を設置することがとりわけ困難である。
【０００６】
ところで、火災検知装置における検知センサは、火災により発生する煙を感知する煙検知センサと、火災による温度上昇を感知する温度検知センサとに大別される。
【０００７】
そして、後者にあっては近年になって光ファイバーを温度検知センサとするものが増えつつある。これは、例えば光ファイバーの入光端からパルス状レーザ光を入射し、光ファイバー内からのストークス光又はアンチストークス光の後方散乱光を検出するものである。そして、斯かる検知方法は、誘導ラマン効果で発生するこれらストークス光等の強度の温度依存性を利用し、もって光ファイバーの長手方向の全体にわたる温度変化を測定するものである。尚、光ファイバーを温度検知センサとする場合の測定理論は、例えば特公平７−４６０５６号公報等に開示されている。
【０００８】
【発明が解決しようとする課題】
本発明は上記の点に鑑みなされたものであって、検知センサとして不燃性のシートに温度を検知する光ファイバーを固定したフレキシブルな検知センサとなし、そしてこれを被せる等して用いるようになし、もって倉庫の如き保管する物品の数量が変化する場所で実施するに適し、また積み重ねた物品の奥深くで発生する火災も容易に早期に検知することができるようになした火災検知装置及びその使用方法を提供せんとするものである。
【０００９】
【課題を解決するための手段】
而して、本発明に係る火災検知装置の要旨とするところは、不燃性のシートに光ファイバーを蛇行状に折曲した状態に固定して検知センサとし、該検知センサを測定部に接続してなる構成にある。また、斯かる構成において光ファイバーをステンレスチューブ内に挿通して用いるようにしてもよい。この場合には、従来において困難であった燻蒸倉庫において実施することも可能となるものである。
【００１０】
また、上記火災検知装置の使用方法として、検知センサを複数連結し、各検知センサの光ファイバー同士を接続して用いるようにしてもよい。この場合には、より広い範囲を監視することが可能となるものである。
【００１１】
また、上記火災検知装置の使用方法として、検知センサがフレキシブルであることから、検知センサを火災監視の対象である物品に被せて使用するようにしてもよい。この場合には、数量が増減してもこれに対応し、数量に関係なく常に同一の監視を行うことができる。
【００１２】
また、従来の火災検知装置は室内の密閉空間でしか実施することができないが、上記の如く検知センサを物品に覆い被せて使用するようにすれば、屋外においても実施することができるものである。
【００１３】
また、検知センサを物品に被せる場合には、検知センサが物品に密着し、したがって天井面や壁面に設置する従来の検知センサよりも早く火災を検知することができるものである。
【００１４】
更にまた、検知センサを積み重ねた物品の間に挿入して使用するようにしてもよく、この場合には積み重ねた物品の奥深くで発生する火災も容易に早期に検知することができるものである。
【００１５】
【発明の実施の形態】
以下、本発明の実施の形態について図面を参照して説明する。
図１は本発明に係る火災検知装置における検知センサの平面図、図２は同斜視図、図３は本発明に係る火災検知装置の使用方法の説明図、図４は作用説明図である。
【００１６】
図中、１は検知センサである。該検知センサ１は、ステンレスチューブ２に挿通した光ファイバー３を、不燃性のシート４に蛇行状に折曲した状態に固定してなるものである。また、不燃性のシート４の大きさは、使用する場所や、監視対象となる物品の大きさ、数量等に応じて適宜に決定される。また、本実施形態では光ファイバー３をステンレスチューブ２に挿通しているが、必ずしもこのようにする必要はない。
【００１７】
そしてまた、前記光ファイバー３の両端部は、ケーブル製端箱５内の接続器（図示せず。）を介して測定器箱６内の測定部（図示せず。）に接続している。尚、測定部の詳細については、従来公知のものと同様であるから説明を省略する。
【００１８】
また、本実施形態では光ファイバー３を二枚の不燃性のシート４、４に挟み込むようにしているが、一枚のシートの片面に固定するようにしてもよい。
【００１９】
次に、上記火災検知装置の使用方法について説明する。
その一つの例は、例えば倉庫７の内部に積み重ねた物品８、８・・・の上部に被せて使用する場合である。また、この場合に複数の検知センサ１を連結して被せるようにしてもよい。また場合によっては図４に示す如く、積み重ねた物品の中間部分の位置にも前記と同様にして挿入するようにしてもよい。尚、図３において９は天井に設けた光ファイバー３の吊り下げガイドである。
【００２０】
上記の如く物品に被せて使用する場合には、図４に示す如く、数量が増えたり減ったりして積み重ねた状態が変化しても、常に同一の監視を行うことができる。また、上記の如く積み重ねた物品の間に挿入して使用するようにした場合には、積み重ねた物品の奥深くで発生する火災も容易に早期に検知することができる。
【００２１】
また、上記の如く物品に覆い被せて使用する場合には、屋外においても実施することができるものである。そして被せると物品と密着するから、従来の検知センサよりも早く火災を検知することができるものである。
【００２２】
【発明の効果】
本発明に係る火災検知装置並びにこれの使用方法によれば、フレキシブルな検知センサを物品に被せて使用するものであるから、積み重ねる物品の数量が増減しても常に同一の監視を行うことができ、倉庫等において実施するに好適である。
【００２３】
また、検知センサを積み重ねた物品の間に挿入して使用する場合には、積み重ねた物品の奥深くで発生する火災も容易に早期に検知することができるものである。
【００２４】
また、検知センサを物品に覆い被せて使用する場合には、屋外においても実施することができるものである。そしてまた、被せると物品と密着することから、従来の検知センサよりも早く火災を検知することができるものである。
【００２５】
また、複数の検知センサを連結し、各検知センサの光ファイバー同士を接続して用いるようにした場合には、より広い範囲を監視することが可能となるものである。
【００２６】
また、光ファイバーをステンレスチューブ内に挿通して使用するようにした場合には、従来において困難であった燻蒸倉庫において実施することも可能となるものである。
【００２７】
加えて、検知センサには電気的な部分が全くないから、配線の短絡による火災発生のおそれもない。したがって、監視すべき物品が可燃物であるような場合により有効である。
【図面の簡単な説明】
【図１】本発明に係る火災検知装置における検知センサの平面図である。
【図２】本発明に係る火災検知装置における検知センサの斜視図である。
【図３】本発明に係る火災検知装置の使用方法の説明図である。
【図４】本発明の作用説明図である。
【符号の説明】
１  検知センサ
２  ステンレスチューブ
３  光ファイバー
４  不燃性のシート
５  ケーブル製端箱
６  測定器箱
【図１】
0003908454.tif 000002
【図２】
0003908454.tif 000003
【図３】
0003908454.tif 000004
【図４】
0003908454.tif 000005